(57)【要約】      （修正有）【課題】  アンカー施工する際、コンクリート類に設ける下穴とアンカー本体との間に空隙が生じて固定強度を低下させないマルチ支持アンカーを提供する。【解決手段】  本発明は、上記のような課題を解決するために、内周に雌ネジ２が形成された筒状胴部３の上端部側外周にフランジ４及び、下端部側内周にテーパ面６を設けた。その際アンカー本体１をボルト類Ｂの雄ネジ軸部材８の締付けにより、割溝５を軸方向に複数もうけたテーパ面６部分を拡張させ、コンクリート等の下穴の内周面に固着できるようにした。さらに、アンカー本体１の筒状胴部３の上端部から下端部までスリット溝７を配置したことで、ボルト類Ｂの雄ネジ軸部材８を締付けの際、スリット溝７による伸縮性を利用することで、コンクリート等の下穴の内周面に筒状胴部３の外径が適合でき、しかも、空隙を生ずることなく固着できることを特徴としたマルチ支持アンカー。【選択図】  図６
2006132759.tif 000002
【特許請求の範囲】
【請求項１】
内周に雌ネジが形成された筒状胴部の上端部側外周にフランジ及び、下端部側内周にテーパ面を設け、並びに、割溝を軸方向に複数設け、さらに、アンカー本体の上端部より下端部までの軸方向に、スリット溝を形成したことを特徴とするマルチ支持アンカー。
【発明の詳細な説明】
【技術分野】
【０００１】  本発明は、コンクリート・鋼材・木材・建材・軽金属類等に各種器具材類を取り付けるためのアンカーである。具体的は、上記部材に穴あけをし、その下穴にアンカー本体を挿入し、このアンカー本体の先端等を拡張させることにより、上記部材に固着するようにしたマルチ支持アンカーに関するものである。
【背景技術】
【０００２】  従来は、コンクリート等に各種器具材類を固定するためのコンクリート用アンカーとしては、内周に雌ネジが形成された円筒状胴部の上端部側外周にフランジ及び、下端部側に軸方向の割溝を複数設けてあり、円筒状胴部の割溝を設けた部分の、内周を端部が小径となるテーパ面に形成したアンカー本体と、このアンカー本体の筒状胴部内に収納され、先端側が円錐台形の円軸状となり、外部からの打ち込みにより、筒状胴部の割溝を設けた部分を、拡張するボスとの組み合わせからなるものが開発されている。
【発明の開示】
【発明が解決しようとする課題】
【０００３】  しかしながら、次のような問題点があった。
（イ）上記のようなコンクリート等にアンカー施工する際、コンクリート類に設ける下穴は、あと付け施工等の現場作業では、筒状胴部の外径に適合する内径に設定するのは非常に難しい。従って、フランジよりも小径とし、筒状胴部の外径よりも大径に穴あけしているのが実情である。
（ロ）このように、下穴が筒状胴部の外径よりも大径であると、下穴内周面にアンカー本体を固着した状態では、下穴の内周面と筒状胴部の外径面との間に空隙が生ずる。このような空隙の存在がコンクリート等に対するアンカー本体の、固定強度を低下させる原因となっている。
（ハ）また、強度的に定着長さを必要とする場合、接着系アンカーでは空隙部分に、充填材を確実に充填できる高度な施工が要求される。さらに、従来の金属系拡張アンカーの構造では、筒状胴部の割溝を拡張するボスに圧力を与えるためには、長い打ち込み棒の付属品が必要となる。従って、施工上不確実性と困難さが生ずる。その上、構造的に複雑で価格的にも割高になる側面もある。
以上本発明は、これらの問題点を解決するためになされたものである。
【課題を解決するための手段】
【０００４】  本発明は、上記のような課題を解決するために、内周に雌ネジが形成された筒状胴部の上端部側外周にフランジ及び、下端部側内周にテーパ面を設けた。その部分に割溝を軸方向に複数設け、ボルト類の雄ネジ軸部材の締付けにより、テーパ面部分を拡張させ、コンクリート等の下穴の内周面に固着できるようにした。さらに、アンカー本体の筒状胴部の上端部から下端部までスリット溝を配置したことで、ボルト類の雄ネジ軸部材を締付けの際に、スリット溝による伸縮性を利用することで、コンクリート等の下穴の内周面に筒状胴部の外径が適合でき、しかも、空隙を生ずることなく固着できる。また、フランジ部分を排除することでコンクリート等の下穴を深くして、アンカー本体とそれに取り付けるボルト類の、定着長さを容易に設定できるように構成されたマルチ支持アンカー。
【発明の効果】
【０００５】  以上のように、本発明は、内周に雌ネジが形成された筒状胴部の上端部側外周にフランジ及び、下端部側にテーパ面を設け、並びに、割溝を軸方向に複数設けた。さらに、アンカー本体の上端部より下端部までの軸方向にスリット溝を形成している。従って、上記アンカー本体の下端部側内周にテーパ面、並びに、割溝を軸方向に複数設けた部分に、ボルト類を締付けの際テーパ面部分に、雄ネジ軸部材が接触し加圧することで、テーパ面部分が拡張されることでコンクリート等に固着できる。その際、雄ネジ軸部がテーパ面部分で回転摩耗してネジ山が破壊されることにより、ボルト類の戻りを阻止し弛み防止効果も発揮する。また、アンカー本体の、筒状胴部の上端部から下端部までの軸方向にスリット溝を配置したことで、スリット溝の作用効果により筒状胴部に伸縮性が生ずるので、コンクリート等の穴あけの際、筒状胴部の外径に適合した空隙を生じさせない下穴を形成できる。従って、アンカー本体にボルト類の雄ネジ軸部材を締付けの際、筒状胴部の内周からなる雌ネジ部分を拡張していくことで、アンカー本体の外周面がコンクリート等の下穴の内周面に固着して、荷重支持強度・引抜き強度等を大幅に向上させる。さらに、施工に関しては、打ち込み棒によるボスに圧力を与えて、割溝を拡張する作業工程もなく、熟練工を必要としないほど簡単・確実で施工コストが低減され工期短縮につながる。しかも、設備費のコストは従来品と比較しても、ボスや打ち込み棒等の付属部品が少なく大幅に削減でき経済的にも有利である。なお、材質に関しては、使用用途により鋼材・軽金属・樹脂系類その他に特別限定するものではない。
【発明を実施するための最良の形態】
【０００６】  以下、本発明の実施の形態について説明する。
（イ）アンカー本体１は、内周に雌ネジ２が形成された筒状胴部３の上端部側外周にフランジ４及び、下端部側内周に割溝５を軸方向に複数設けたテーパ面６部分からなる。ボルト類Ｂをアンカー本体１に締付ける際、テーパ面６部分にボルト類Ｂの雄ネジ軸部材８が接触し加圧することで、テーパ面６部分を押し広げ拡張することになる。そのことにより、コンクリート類Ａの下穴の内周面に確実に固着できる。その際、ボルト類Ｂの雄ネジ軸部材８が回転摩耗して、雄ネジ山の先端が破壊されることにより、ボルト類Ｂの戻り機能を阻止することができ、さらに、弛み防止の役目も発揮し二重効果が得られる。
（ロ）上記筒状胴部３の上端部から下端部までスリット溝７を配置することで、スリット溝７の作用効果により筒状胴部３に伸縮性が生ずるので、コンクリート類Ａの下穴の内周面に筒状胴部３の外径が適合し空隙を生じさせない。且つ、ボルト類Ｂをアンカー本体１に締付ける際、内周雌ネジ２部分を雄ネジ軸部材８が拡張することで、アンカー本体１の外周面がコンクリート類Ａの下穴の内周面に固着する。従って、荷重支持強度・引抜き強度を大幅に向上させる。
（ハ）また、フランジ４部分を排除することでコンクリート類Ａの下穴を深くして、アンカー本体１を深部に配置できる。さらに、それに取り付けるボルト類に生ずる空隙部分に、充填材を挿入することで定着長さを確保でき、且つ、上記強度の増大にもつながり従来の欠点を補うことができる。
【実施例】
【０００７】  先ず、下地となるコンクリート類Ａに下穴を開ける。この下穴は、アンカー本体１からなる筒状胴部３の全長が納まる深さと、フランジ４外径よりも小径で筒状胴部３の外径に適合する内径に設定する。次に、この下穴にアンカー本体１からなる筒状胴部３を、挿入のためのテーパ面を利用して差込み、フランジ４をコンクリート類Ａに当接させた状態でボルト類Ｂを締付ける。従って、雄ネジ軸部材８がスリット溝７を押し広げることでコンクリート類Ａの下穴の内周面に食い込むことで、アンカー本体１が下穴の内周面に固着することで抜け止めとなる。さらに、下端部のテーパ面６を雄ネジ軸部材８で割溝５を押し広げ拡張し機械的に固着する。それから割溝５を押し広げる際に、雄ネジのネジ山が回転しながら破壊されるので、ボルト類Ｂの戻りと弛みを同時に防止できる。この構造としたことで、中空層からなる壁・天井・床等の各種の建材類・ボード類等の下地類にも対応できる。さらに、図７のようにフランジ４を排除したことで、コンクリート類Ａの下穴深部のアンカー本体１に、市販の全ネジボルト類Ｃ部材の先端を浅くネジ込み、深部に打ち込めるようになった。次に深部に打ち込んだアンカー本体１に締付けてスリット溝７と割溝５を拡張し、定着長さを容易に固着設定できる。その際、それに伴う下穴の空隙部分に充填材Ｄ（シーリング材・接着剤・モルタル類）を挿入することで確実に定着長さが確保できる。また、図８のようなアンカー本体１から、フランジ４とスリット溝７と割溝５を排除した構造とすることで、ボルト等の弛み止めナット類Ｅとして、土木・建築・機械・その他に用いる締結具類の弛み防止に効果がある。従って、広範囲の用途に使用できる。
【図面の簡単な説明】
【０００８】
【図１】  本発明の斜視図
【図２】  本発明の断面図
【図３】  本発明の側面図
【図４】  本発明の上端部側平面図
【図５】  本発明の下端部側平面図
【図６】  本発明のマルチ支持アンカーとボルトの分解図
【図７】  本発明の応用例の分解図
【図８】  本発明の応用例の弛み止めナット類断面図
【符号の説明】
【０００９】１    アンカー本体
２    雌ネジ
３    筒状胴部
４    フランジ
５    割溝
６    テーパ面
７    スリット溝
８    雄ネジ軸部材
Ａ    コンクリート類
Ｂ    ボルト類
Ｃ    全ネジボルト類
Ｄ    充填材
Ｅ    弛み止めナット類
【図１】
2006132759.tif 000003
【図２】
2006132759.tif 000004
【図３】
2006132759.tif 000005
【図４】
2006132759.tif 000006
【図５】
2006132759.tif 000007
【図６】
2006132759.tif 000008
【図７】
2006132759.tif 000009
【図８】
2006132759.tif 000010